(57)【要約】【課題】耐衝撃性が向上し、構成部品も少なく、かつ、小型化にも対応可能なレンズ鏡筒を提供する。【解決手段】レンズ鏡筒１は、カム溝４ｃを有する移動枠４と、カム溝４ｃに係合し、移動枠４と相対的に光軸方向に移動するためのカムフォロア３１を有するカム枠５とを有しており、移動枠４およびカム枠５にはカム溝４ｃおよびカムフォロア３１の近傍にあって、係合しているカムフォロア３１、または、カム溝４ｃを介して衝撃荷重を受けたときに光軸方向に弾性変形可能なように円周面の表と裏に円周方向に沿って形成される複数の有底溝部４ｇおよび有底溝５ｇが設けられており、有底溝部４ｇおよび有底溝５ｇの弾性変形によって衝撃エネルギが吸収され、枠部材が受ける衝撃力を減少させることができる。【選択図】図１
2009145687.tif 000002
【特許請求の範囲】
【請求項１】
カム溝、もしくは、カムフォロアを有する第一の枠と、
上記カム溝、もしくは、上記カムフォロアに係合し、上記第一の枠と相対的に光軸方向に移動するためのカムフォロアもしくはカム溝を有する第二の枠と
を有しており、少なくとも上記第一の枠、または、上記第二の枠の一方に上記カムフォロア、もしくは、上記カム溝近傍にあって、上記カム溝、もしくは、上記カムフォロアから衝撃荷重を受けたときに弾性変形可能なように円周面の表と裏に円周方向に形成された複数の有底溝部が形成されていることを特徴とするレンズ鏡筒。
【請求項２】
上記有底溝部は、平坦底面を有することを特徴とする上記請求項１記載のレンズ鏡筒。
【請求項３】
上記有底溝部は、谷状底面を有することを特徴とする上記請求項１記載のレンズ鏡筒。
【発明の詳細な説明】
【技術分野】
【０００１】
本発明は、相対移動可能な枠部材を有するレンズ鏡筒の耐衝撃構造に関する。
【背景技術】
【０００２】
従来のレンズ鏡筒にて落下時に受ける衝撃力を受けた場合、移動枠部材を進退駆動するためのカム溝とカムフォロアの間に上記衝撃力が作用し、該カム溝、あるいは、カムフォロアを介して枠部材の他の係合部が力を受け、衝撃力の大きさによっては、上記係合部が外れたり、破損することもあった。
【０００３】
そこで、従来のレンズ鏡筒の耐衝撃構造として、鏡枠自体がゴム等の緩衝材により支持され、該緩衝材の変形により衝撃力を吸収するもの、あるいは、移動枠に設けられるカムフォロアが弾性変位可能に支持され、該移動枠に衝撃力が作用した場合、上記カムフォロアが変形することによって衝撃力が吸収されるものなどが提案されていた。
【０００４】
また、特許文献１に開示されたものは、複数の部品で構成されるレンズ鏡筒において、先端近傍に装着される合成樹脂製の筒状構成部品に円周方向全周に複数の長穴（貫通穴）を設け、更に、上記長穴に対応して凸部を他の構成部品に設けたものである。該レンズ鏡筒の先端部に衝撃力が作用した場合、上記長穴が変形して該衝撃力が吸収され、レンズ鏡筒が保護される。
【特許文献１】特開平９-２１１２８６号公報
【発明の開示】
【発明が解決しようとする課題】
【０００５】
しかし、上述した従来のレンズ鏡筒の耐衝撃構造で緩衝材を利用するもの、あるいは、カムフォロアが変位可能に支持されるものでは、構成部品点数が増え、また、形状的にも配置スペースが大きくなり、コスト、あるいは、コンパクト化には対して不利であった。
【０００６】
また、特許文献１に開示された耐衝撃構造のレンズ鏡筒は、レンズ鏡筒としての本来の機能のためには必要ではない上記凸部を新たに設ける必要があり、さらに、周方向の上記長穴を全周に配する必要もあって、レンズ鏡筒として大型化する。また、先端部で衝撃を受けるために先端部自体が破損して部品交換が必要となる場合もある。更に、後端側で衝撃力を受けた場合には、衝撃力が吸収できないといった問題もあった。
【０００７】
本発明は、上述の問題を解決するためになされたものであり、耐衝撃性が向上したレンズ鏡筒を提供することを目的とする。
【課題を解決するための手段】
【０００８】
本発明の請求項１記載のレンズ鏡筒は、カム溝、もしくは、カムフォロアを有する第一の枠と、上記カム溝、もしくは、上記カムフォロアに係合し、上記第一の枠と相対的に光軸方向に移動するためのカムフォロアもしくはカム溝を有する第二の枠とを有しており、少なくとも上記第一の枠、または、上記第二の枠の一方に上記カムフォロア、もしくは、上記カム溝近傍にあって、上記カム溝、もしくは、上記カムフォロアから衝撃荷重を受けたときに弾性変形可能なように円周面の表と裏に円周方向に形成された複数の有底溝部が形成されている。
【０００９】
本発明の請求項２記載のレンズ鏡筒は、請求項１記載のレンズ鏡筒において、上記有底溝部は、平坦底面を有する。
【００１０】
本発明の請求項３記載のレンズ鏡筒は、請求項１記載のレンズ鏡筒において、上記有底溝部は、谷状底面を有する。
【発明の効果】
【００１１】
本発明によれば、耐衝撃性を向上させたレンズ鏡筒を提供することができる。
【発明を実施するための最良の形態】
【００１２】
以下、図を用いて本発明の実施形態について説明する。
【００１３】
図１は、本発明の一実施形態のレンズ鏡筒の分解斜視図である。図２は、図１のＡ−Ａ断面、または、Ｂ−Ｂ断面を示す図であって、上記レンズ鏡筒に適用されるカム枠または移動枠の有底溝部の光軸に沿った断面を示す。
【００１４】
なお、以下の説明において、上記撮影レンズ光軸をＯで示し、該光軸Ｏの被写体側を前方（各鏡枠の繰り出し方向）、結像側を後方（各鏡枠の繰り込み方向）とする。また、各部材の回転方向は、前方側から見た回転方向で示す。
【００１５】
本実施形態のレンズ鏡筒１は、光軸Ｏ方向に鏡枠部材が突出した撮影可能な突出状態（ワイド，テレ間）と上記鏡枠部材が収納された沈胴状態とに切り換え可能な沈胴式レンズ鏡筒である。
【００１６】
レンズ鏡筒１は、図１に示すように固定枠２と、固定枠２に支持される鏡枠部材であって、ズーミング時や沈胴駆動時に回転、進退駆動される回転枠３と、回転規制状態で回転枠３とともに進退する第一の枠部材である移動枠４と、回転枠３と共に回転し、さらに、進退移動する第二の枠部材であるカム枠５と、回転規制状態でカム枠５とともに進退する直進ガイド枠６と、回転規制状態で回転枠３により進退駆動される三群ユニット１５と、回転規制状態でカム枠５によりそれぞれ進退駆動される二群枠１１および一群枠１２と、フォーカシング時や沈胴駆動時に進退駆動される四群枠１３と、撮影レンズ群として光軸Ｏ前方側から順次配され、一群枠１２、二群枠１１、三群枠１０、四群枠１３にそれぞれ保持される一群レンズ２１と、二群レンズ２２と、三群レンズ２３と、フォーカシングレンズである四群レンズ２４とを有している。なお、上記各枠部材の上記進退駆動方向は、光軸Ｏ方向に沿った方向とする。
【００１７】
固定枠２は、筒状の部材であり、内周部に光軸Ｏに対して傾斜した傾斜カム溝部と円周に沿った円周カム溝部とが連接されてなるカム溝２ａと、光軸Ｏに沿った複数の直進溝２ｂとが設けられている。また、この固定枠２には外周部に撮影レンズのズーミング駆動を行うためのズームモータ、ギヤ列およびロングギヤ１９を含むズーミングユニット１７と、撮影レンズのフォーカシング駆動を行うためのフォーカスモータ、ギヤ列、送りねじおよびガイド軸を含むフォーカシングユニット１８とが配されている。
【００１８】
なお、ロングギヤ１９は、光軸Ｏと平行な方向に沿って固定枠２の内周部に露呈した状態で支持されている。
【００１９】
回転枠３は、固定枠２の内周部に回動進退可能に嵌入する弾性変形可能な筒状の部材であり、外周後方部に固定枠２のカム溝２ａに摺動可能に嵌入するカムフォロア３ａと、ロングギヤ３５と噛合するギヤ部３ｂとが設けられている。内周部には光軸Ｏ方向に対し傾斜した三群用カム溝３ｄと、光軸Ｏ方向に沿ったカム枠用直進溝３ｃと、内周後端部に内径方向に突出し、係合状態のカム枠５のカムフォロア３１の近傍に位置する３つの突部３ｅとが設けられている。
【００２０】
この回転枠３は、カムフォロア３ａが固定枠２のカム溝２ａに摺動可能に嵌入した状態で支持されており、ロングギヤ１９によりギヤ部３ｂを介して回転駆動され、沈胴位置から撮影可能なワイド位置まで繰り出され、その後、テレ位置まで光軸Ｏ方向に進退することなく回転駆動される。
【００２１】
移動枠４は、回転枠３の内周部に遊嵌状態で相対回転可能に嵌入する弾性変形可能な筒部材であり、固定枠２によって回転規制された状態で進退移動が可能である。この移動枠４の後端外周部に固定枠２の直進溝２ｂに嵌入する複数のガイド突起部４ａが設けられ、さらに、内外周を貫通する溝部として、光軸Ｏ方向に対して傾斜し、かつ、対向する溝面がラジアル方向に傾斜した３本のカム枠用カム溝４ｃおよび直進状の直進溝４ｂ，４ｄと、外周後方部に所定幅（円周角度範囲）以上の円周溝４ｅ、および、該円周溝を形成するための所定幅（円周角度範囲）の円周方向に沿って外径方向に張り出した係合壁部４ｆと、耐衝撃構造として各カム溝４ｃの後方外周部に周方向に沿った複列の有底溝部４ｇおよび後方内周部にも周方向に沿った複列の有底溝４ｈとが設けられている。上記円周角度範囲は、カム溝４ｃにカムフォロア３１が摺動する角度範囲以上の範囲とする。従って、カムフォロア３１は、カム溝４ｃを上記円周角度範囲内で相対移動することになる。なお、有底溝部４ｇ，４ｈの詳細形状については後で図２を用いて説明する。
【００２２】
なお、移動枠外周部に円周溝４ｅが凹状に形成される場合には係合壁部４ｆは、不要である。また、回転枠３の突部３ｅが係合壁部４ｆを挟み込む形状の突部である場合には円周溝４ｅは不要となる。
【００２３】
この移動枠４は、回転枠３の内周部に突部３ｅを円周溝４ｅに嵌入させた状態で係合させることにより回転枠３に対して相対回転が可能で、かつ、光軸Ｏ方向に一体移動する状態で結合（バヨネット結合）される。
【００２４】
カム枠５は、移動枠４の内周部に嵌合する弾性変形可能な筒状の部材であり、カム枠５の外周後方部には３本のカムフォロア３１が設けられ、さらに、内周部には光軸Ｏに方向に対して傾斜し、かつ、対向する溝面がラジアル方向に傾斜した二群用カム溝５ａおよび一群用カム溝５ｂと、前端部に円周溝５ｃと、耐衝撃構造として各カムフォロア３１の前方外周部に周方向に沿った複列の有底溝部５ｇおよび前方内周部にも周方向に沿った複列の有底溝部５ｈとが設けられている。カムフォロア３１の、移動枠４のカム溝４ｃと嵌合摺接する部分は、内径側に向けて広がるテーパ形状のカムフォロア形状を有し、さらに、外径側に突出するストレート形状の先端部３１ａが同軸上に形成されている。有底溝部５ｇ，５ｈの詳細形状については後で図２を用いて説明する。
【００２５】
このカム枠５は、カムフォロア３１が移動枠４のカム溝４ｃを摺動可能に係合した状態で貫通し、さらに、カムフォロア３１の先端部３１ａが回転枠３の直進溝３ｃに嵌入した状態で支持されている。従って、カム枠５は、回転枠３と共に回動し、かつ、移動枠４によって光軸Ｏ方向に相対的に進退駆動される。
【００２６】
直進ガイド枠６は、筒部材であって、後端外周部に移動枠４の直進溝４ｂに嵌入するガイド突起部６ａが設けられ、さらに、内外周を貫通する光軸Ｏ方向に沿った二群用直進溝６ｂと、外周部に光軸Ｏ方向に沿った有底の一群用直進溝６ｃと、前端外周部には突起部６ｄが設けられている。
【００２７】
直進ガイド枠６は、移動枠４の直進溝４ｂにより回転規制された状態でカム枠５の内周部に嵌入する一群枠１２の内周部に嵌入して支持される。そして、カム枠５の円周溝５ｃに突起部６ｄを嵌入させることによりカム枠５に対して相対回転が可能で、かつ、光軸Ｏ方向には一体移動する状態で結合（バヨネット結合）される。
【００２８】
二群枠１１は、筒状部材であって、直進ガイド枠６の内周部に嵌入されて支持される。二群枠１１の前面開口部に二群レンズ２２が保持されており、外周部にはガイド突部１１ａと、該突部から外方に突出し、ラジアル方向にテーパ形状のカムフォロア３３が設けられている。
【００２９】
ガイド突部１１ａは、直進ガイド枠６の直進溝６ｂに嵌入し、カムフォロア３３は、直進溝６ｂを貫通してカム枠５のカム溝５ａに摺動可能に嵌入する。したがって、二群枠１１は、直進ガイド枠６により回転規制された状態でカム枠５によりカムフォロア３３を介して進退駆動される。
【００３０】
一群枠１２は、筒状部材であり、直進ガイド枠６の外周部とカム枠５の内周部に嵌入して支持される。そして、前面開口部にレンズ保持枠２０を介して一群レンズ２１が保持され、さらに、一群レンズ２１の前面を開閉可能なレンズバリア（図示せず）が配されている。この一群枠１２の後端の外周部には突出したカムフォロア３４が配されている。
【００３１】
カムフォロア３４は、直進ガイド枠６の外周に位置してカム枠５のカム溝５ｂに嵌入する。また、一群枠１２の内周部に設けられるガイド突部（図示せず）が直進ガイド枠６の直進溝６ｃに嵌入している。従って、一群枠１２は、直進ガイド枠６により回転規制された状態でカム枠５によりカムフォロア３４を介して進退駆動される。
【００３２】
三群ユニット１５は、三群用直進枠７と、押さえ板部材８と、シャッタ枠９と、該シャッタ枠９の後方側に隣接して配され、三群レンズ２３を保持する三群枠１０と、三群枠用回転駆動部とを有している。
【００３３】
三群用直進枠７は、移動枠４の内方部に挿入される進退可能な枠部材である。この三群用直進枠７には外方３方に延びた腕部に移動枠の三群用直進溝４ｄに嵌入するガイド突部７ａと、該突部外方に突出して配され、回転枠３の三群用カム溝３ｄに係合するカムフォロア３２とが設けられている。
【００３４】
この三群用直進枠７は、移動枠４によって回転規制され、かつ、回転枠３により三群用カム溝３ｄ，カムフォロア３２を介して進退駆動される。このとき、シャッタ枠９、押さえ板部材８、三群枠１０も三群用直進枠７と共に進退駆動される。
【００３５】
シャッタ枠９は、中央開口部を有しており、該開口部を開閉するためのシャッタ羽根と、該シャッタ羽根を開閉駆動するためのシャッタアクチュエータを含むシャッタ機構とを内蔵している。このシャッタ枠９は、三群用直進枠７の前方側に固定支持されており、三群用直進枠７と一体で進退移動する。
【００３６】
押さえ板部材８は、半円環状の部材であり、三群用直進枠７との間に三群枠１０とシャッタ枠９とを組み込んだ状態で該直進枠７の前方側に当て付けた状態でネジにより固着される。
【００３７】
三群枠１０は、三群レンズ２３を保持し、三群用直進枠７内に支持されている。
【００３８】
四群枠１３は、四群レンズ２４を保持し、一端部に軸穴１３ａと他端部にガイド突起部１３ｂを有しており、固定枠２の内部後方に挿入される。軸穴１３ａにはフォーカシングユニット１８に配されるガイド軸２ｃが摺動可能に嵌入している。ガイド突起部１３ｂは、固定枠２の直進溝（図示せず）に摺動可能に嵌入している。この四群枠１３は、フォーカシングユニット１８のフォーカシングアクチュエータによりギヤ列，送りネジを介して上記ガイド軸に沿って撮影可能なフォーカシング位置および沈胴位置に光軸Ｏ方向に沿って進退駆動される。
【００３９】
ここで、移動枠４およびカム枠５の外、内周部に設けられ、周方向に沿った複列の有底溝部の形状について、図１のＡ−Ａ断面およびＢ−Ｂ断面を示す図２を用いて説明する。
【００４０】
前述した移動枠４の各カム溝４ｃ近傍の後方外周部、内周部に周方向に沿って設けられる複列の有底溝部４ｇおよび有底溝４ｈは、光軸方向の所定のピッチで設けられているが、図２に示すように内周側の有底溝４ｈは、外周側の有底溝部４ｇに対して半ピッチずれた状態で交互に配され、該有底溝は、所定厚さの蛇腹形状となっている。有底溝部４ｇおよび有底溝４ｈの底部４ｇａと４ｈａは、それぞれ平坦底面形状になっている。有底溝部４ｇおよび有底溝４ｈの周方向の配設角度は、カム溝４ｃによってカム枠５が沈胴位置から繰り出される動作範囲のカム溝４ｃに対応する円周角度とすることが望ましい。
【００４１】
一方、カム枠５の各カムフォロア３１近傍の前方外、内周部に設けられ、周方向に沿った複列の有底溝５ｇおよび有底溝５ｈも光軸方向の所定のピッチで設けられ、図２に示すように内周側の有底溝５ｈは、外周側の有底溝部５ｇに対して半ピッチずれた状態で配され、所定厚さの蛇腹形状となっている。有底溝部５ｇおよび有底溝５ｈの底部５ｇａと５ｈａもそれぞれ平坦底面形状になっている。有底溝部５ｇおよび有底溝５ｈの周方向の配設角度は、カムフォロア３１中心の所定の円周角度である。
【００４２】
カム枠５のカムフォロア３１と移動枠４のカム溝４ｃとの間に後述する衝撃力が作用した場合、カムフォロア３１の前方側およびカム溝４ｃの後方側が同時に圧縮力を受けるので、カム枠側の有底溝部５ｇ，５ｈおよび移動枠側の有底溝部４ｇ，４ｈが上記衝撃力に応じて光軸方向に弾性変形する。この変形によって衝撃によるエネルギが吸収される。
【００４３】
なお、有底溝部５ｇ，５ｈおよび有底溝部４ｇ，４ｈの列数および肉厚は、通常の鏡枠の繰り出し動作に影響を与えることがない剛性を有するが、カメラ自体の重量等により吸収すべき衝撃力に対しては弾性変形する形状が採用される。場合によっては、複列に限らず、例えば、外周側、または、内周側を単列の有底溝で構成し、内周側、または、外周側を２列の有底溝で構成してもよい。
【００４４】
また、移動枠４側の有底溝部４ｇ，４ｈは、必ずしも周方向に沿っている必要はなく、例えば、カム溝４ｃのカム筋と平行な溝筋を有していてもよい。同様にカム枠側の有底溝部５ｇ，５ｈも周方向に沿った溝でなく、曲線に沿った溝筋を有していてもよい。
【００４５】
さらに、上述した図２の移動枠４の有底溝４ｇ，４ｈおよびカム枠５の有底溝５ｇ，５ｈの断面形状に対する変形例として図３の有底溝の光軸に沿った拡大断面図に示すものも提案できる。この変形例の移動枠４Ａの有底溝部４Ａｇ，４Ａｈは、上述した図２の有底溝部と同様に図３に示すように所定厚さの蛇腹形状となっているが有底溝部４Ａｈｇおよび有底溝部４Ａｈの底部４Ａｇａと４Ａｈａは谷状底面になっている。カム枠５Ａの有底溝部５Ａｇ，５Ａｈも同様に底部５Ａｇａと５Ａｈａは谷状底面になっている。
【００４６】
次に、上述した構成を有するレンズ鏡筒１の各鏡枠部材の進退動作について説明する。いま、レンズ鏡筒１が撮影可能な状態であるワイド状態にあって、回転枠３がワイド回動位置にあるときは、回転枠３のカムフォロア３ａが固定枠２のカム溝２ａの前方側の円周溝部に嵌入し、回転枠３は、移動枠４と共に繰り出されている。カム枠５は、移動枠４のカム溝４ｃにより位置決めされ、回転枠３よりさらに前方に繰り出されている。一群枠１２と二群枠１１もそれぞれカム枠５のカム溝５ｂと５ａによりワイド位置に繰り出されている。
【００４７】
レンズ鏡筒１をテレ状態に繰り出すにはズーミングユニット１７により回転枠３を回転駆動する。この回転駆動によりカム枠５が移動枠４のカム溝４ｃによって回転しながら繰り出され、さらに、一群枠１２と二群枠１１もそれぞれカム枠５のカム溝５ｂと５ａによりテレ位置に繰り出される。
【００４８】
レンズ鏡筒１を沈胴状態にセットダウンする場合、ズーミングユニット１７により回転枠３を反時計回りに回転駆動する。この回転駆動により回転枠３は、固定枠２のカム溝２ａにより回転しながら繰り込み方向に移動し、沈胴位置に到達する。回転枠３のワイド回転位置からの回転に伴ってカム枠５を介して一群枠１２および二群枠１１が繰り込み方向に移動する。同時に三群用直進枠７もシャッタ枠９および三群枠１０とともに繰り込み方向に変位し、それぞれの沈胴位置に繰り込まれる。
【００４９】
また、四群枠１３は、フォーカシングユニット１８により上記ワイド状態、または、テレ状態に対応したフォーカシング位置、さらに、沈胴位置にそれぞれ進退駆動される。
【００５０】
ここで、レンズ鏡筒１に落下等による衝撃力が作用した場合の挙動について説明する。レンズ鏡筒１の先端の一群枠１２が外部に強く当接し、衝撃力を受けた場合、一群枠１２のカムフォロア３４がカム枠５のカム溝５ｂに当接し、さらに、カム枠５のカムフォロア３１が移動枠４のカム溝４ｃに対して光軸Ｏ方向に当接する。また、カム枠５の外部角部先端が障害物に当接した場合には、直接的にカムフォロア３１が移動枠４のカム溝４ｃに光軸Ｏ方向に当接する。
【００５１】
なお、カメラの背面側を下にして落下させた場合は、一群枠１２、二群枠１１およびカム枠５の自重による衝撃力がカムフォロア３１を介してカム溝４ｃに作用する。
【００５２】
回転枠３は、カムフォロア３ａを介して固定枠２により後方への移動が阻止されているので、上述した衝撃力を移動枠４の円周溝４ｅの前方の係合壁部４ｆと回転枠３の突部３ｅとで受けることになる。
【００５３】
前述したようにカムフォロア３１側前方にはカム枠の有底溝部５ｇ，５ｈがあり、カム溝４ｃ側後方には移動枠４の有底溝部４ｇ，４ｈがあって、上記衝撃力が作用した場合、それらの有底溝が瞬間的に光軸Ｏ方向に変形してカムフォロア３１，カム溝４ｃがカム枠５および移動枠４に対して一時的に相対変位する。その変位によって衝撃エネルギが吸収されるので移動枠４の係合壁部４ｆと回転枠３の突部３ｅとに作用する衝撃による当接力が減少し、該当接部の外れや破損が防止される。さらに、他の構成部材に伝達される衝撃による当接力も減少するので当該部品の破損も防止される。
【００５４】
上述したように本実施形態のレンズ鏡筒１は、上述した有底溝部による耐衝撃構造を有しているので、一群枠１２やカム枠５の先端部に衝撃力などの大きな外力が作用した場合、あるいは、背面側から落下して二群枠１１等に衝撃力が作用した場合、衝撃力を受けるカムフォロア３１とカム溝４ｃとで押圧されてカム枠の有底溝部５ｇ，５ｈおよび移動枠４の有底溝部４ｇ，４ｈが弾性変形して衝撃エネルギを吸収することでカムフォロア３１とカム溝４ｃとの衝撃による当接力が減少する。従って、各構造部材の係合部における衝撃による当接力が減少し、係合の外れや破損が防止される。
【００５５】
レンズ鏡筒１の上記耐衝撃構造では、緩衝部材等は使用しておらず、耐衝撃構造のために新設する部品は不要であり、さらに、レンズ鏡筒が大型化することもなく、コンパクト化の支障にもならない。
【００５６】
なお、本実施形態のレンズ鏡筒１においては、耐衝撃構造としての有底溝を移動枠４およびカム枠５に設けたが、これに限らず、他の枠部材のカム溝やカムフォロアの近傍の後方部や前方部に設けることによって、落下等による衝撃力を減少させる構造とすることも可能である。また、上記有底溝は、カム溝、または、カムフォロアのいずれか一方の近傍部に設けることでも上記衝撃力を減少させるが可能である。
【００５７】
また、本実施形態によれば、衝撃吸収用に不必要に枠部材に貫通孔を設けることもないので、光漏れなどの不都合が発生することもない。
【００５８】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００５９】
本発明によるレンズ鏡筒は、耐衝撃性が向上し、構成部品も少なく、かつ、小型化にも対応可能なレンズ鏡筒として利用が可能である。
【図面の簡単な説明】
【００６０】
【図１】本発明の一実施形態のレンズ鏡筒の分解斜視図である。
【図２】図１のＡ−Ａ断面、または、Ｂ−Ｂ断面を示す図であって、上記レンズ鏡筒に適用されるカム枠または移動枠の有底溝部の光軸に沿った断面を示す。
【図３】図１のレンズ鏡筒における図２に示したカム枠または移動枠に設けられる有底溝に対する変形例の有底溝の光軸に沿った断面図である。
【符号の説明】
【００６１】
４，４Ａ
…移動枠（第一の枠）
４ｃ  …カム溝
４ｇ，４ｈ，４Ａｇ，４Ａｈ，
…有底溝
４ｇａ，４ｈａ，５ｇａ，５ｈａ
…底部（平坦底面）
４Ａｇａ，４Ａｈａ，５Ａｇａ，５Ａｈａ
…底部（谷状底面）
５，５Ａ
…カム枠（第二の枠）
５ｇ，５ｈ，５Ａｇ，５Ａｈ
…有底溝
３１  …カムフォロア
【図１】
2009145687.tif 000003
【図２】
2009145687.tif 000004
【図３】
2009145687.tif 000005